(57)【要約】【課題】帰宅時に住居内にいる不審者と遭遇することを回避することができるインターホンシステムを提供する。【解決手段】インターホンシステムは、戸建住宅又は集合住宅に設置され、玄関扉及びその近傍に設置された電気錠システム１と、宅内外に設置された１乃至複数の防犯センサ２とを備える。また、ドアホン子器４との間でインターホン通話が可能なインターホン親機３と、移動体通信網を介してインターホン親機３との間で通信が可能な携帯端末５とを備える。居住者が帰宅時すると、インターホン親機３は、外出中に防犯センサ２が検知した異常検知情報に基づく検知履歴を携帯端末５に送信する。【選択図】図１
2011193377.tif 000002
【特許請求の範囲】
【請求項１】
ドアホン子器と、
音声信号の授受により前記ドアホン子器との間で通話可能なインターホン親機と、
居住者の帰宅を検知して帰宅検知信号を前記インターホン親機に出力する帰宅検知手段と、
防犯用の異常を検知して異常検知信号を前記インターホン親機に出力する一乃至複数の異常検知センサとを備え、
前記インターホン親機は、
前記異常検知信号に含まれる異常検知情報を検知履歴として記憶する検知履歴記憶手段と、
前記帰宅検知信号が入力されると、前記検知履歴記憶手段に記憶された検知履歴を、居住者が所有する携帯端末に送信する検知履歴送信手段とを備えることを特徴とするインターホンシステム。
【請求項２】
前記帰宅検出手段は、
非接触キーに格納されたＩＤ情報又は居住者の生態情報などに基づく認証情報を取得する認証情報取得手段と、
予め登録された居住者を示す登録情報に基づいて、前記認証情報が有効か無効かを判断する認証情報判定手段とを有することを特徴とする請求項１記載のインターホンシステム。
【請求項３】
住戸の玄関扉に取り付けられた電気錠を備え、
前記帰宅検出手段は、
前記電気錠が施錠状態から解錠状態に変わったことを判断して前記帰宅検出信号を出力することを特徴とする請求項１記載のインターホンシステム。
【請求項４】
前記検知履歴は、前記異常検知センサが異常を検知した検知時刻と、前記異常検知情報とを含むことを特徴とする請求項１〜３の何れか一項に記載のインターホンシステム。
【発明の詳細な説明】
【技術分野】
【０００１】
本発明は、インターホンシステムに関するものである。
【背景技術】
【０００２】
従来、戸建住宅や集合住宅などで用いられるインターホンシステムとして、住戸の玄関扉に設置された電気錠システムと、人体感知センサなどの防犯センサを備えたセキュリティ対応のインターホンシステムが提案されている（例えば、特許文献１を参照）。
【０００３】
特許文献１に記載のインターホンシステム（セキュリティシステム）は、その動作モードとして防犯センサによる異常検出を行うセキュリティモードを有し、非接触タグによる電気錠の施錠・解錠に応じて、セキュリティモードの設定・解除が行われる。
【先行技術文献】
【特許文献】
【０００４】
【特許文献１】特許第３９９４９１９号公報
【発明の概要】
【発明が解決しようとする課題】
【０００５】
この種のインターホンシステムでは、帰宅した居住者が、留守中の防犯センサによる異常検知の履歴を確認するには、住居内に設置されたインターホン親機に対して所定の操作を行う必要があった。そのため、不審者が住居内に居るときに居住者が帰宅した場合には、インターホン親機で異常検知の履歴を確認する前に不審者と遭遇してしまう可能性があった。
【０００６】
本発明は、上記事由に鑑みて為されたものであり、その目的とするところは、帰宅時に居住者が防犯センサによる異常検知の履歴を確認することで、住居内にいる不審者と遭遇することを回避することができるインターホンシステムを提供することにある。
【課題を解決するための手段】
【０００７】
上記目的を達成するために、第１の発明では、ドアホン子器と、音声信号の授受によりドアホン子器との間で通話可能なインターホン親機と、居住者の帰宅を検知して帰宅検知信号をインターホン親機に出力する帰宅検知手段と、防犯用の異常を検知して異常検知信号をインターホン親機に出力する一乃至複数の異常検知センサとを備え、インターホン親機は、異常検知信号に含まれる異常検知情報を検知履歴として記憶する検知履歴記憶手段と、帰宅検知信号が入力されると、検知履歴記憶手段に記憶された検知履歴を、居住者が所有する携帯端末に送信する検知履歴送信手段とを備えることを特徴とする。
【０００８】
第２の発明では、第１の発明において、帰宅検出手段は、非接触キーに格納されたＩＤ情報又は居住者の生態情報などに基づく認証情報を取得する認証情報取得手段と、予め登録された居住者を示す登録情報に基づいて、認証情報が有効か無効かを判断する認証情報判定手段とを有することを特徴とする。
【０００９】
第３の発明では、第１の発明において、住戸の玄関扉に取り付けられた電気錠を備え、
帰宅検出手段は、電気錠が施錠状態から解錠状態に変わったことを判断して帰宅検出信号を出力することを特徴とする。
【００１０】
第４の発明では、第１〜第３の何れかの発明において、検知履歴は異常検知センサが異常を検知した検知時刻と、異常検知情報とを含むことを特徴とする。
【発明の効果】
【００１１】
本発明によれば、居住者は帰宅時に防犯センサによる異常検知の履歴を確認することができ、住居内に不審者がいる場合でも居住者が不審者と遭遇することを回避することができる。
【図面の簡単な説明】
【００１２】
【図１】本発明の実施の形態１にかかるインターホンシステムを示すブロック図である。
【図２】同インターホンシステムが備える電気錠システムの動作を示す概略フロチャートである。
【図３】同インターホンシステムが備えるインターホン親機の動作を示す概略フロチャートである。
【図４】本発明の実施の形態２にかかるインターホンシステムを示すブロック図である。
【図５】同インターホンシステムが備えるインターホン親機の動作を示す概略フロチャートである。
【発明を実施するための形態】
【００１３】
以下に、本発明の実施の形態を図面に基づいて説明する。
【００１４】
（実施の形態１）
本実施の形態にかかるインターホンシステムについて、図１〜図３を用いて説明する。本実施の形態にかかるインターホンシステムは、図１に示すように、例えば戸建住宅又は集合住宅の宅内に設置されるインターホン親機３と、インターホン親機３との間でインターホン通話が可能なドアホン子器４とを備える。また本インターホンシステムは、玄関扉及びその近傍に設置された電気錠システム１と、宅内及び宅外に設置された１乃至複数の防犯センサ２と、移動体通信網を介してインターホン親機３から送信されるメッセージを受信可能な携帯端末５とを備える。
【００１５】
電気錠システム１は、玄関先の外壁などに設置された非接触キーリーダ１１と、玄関扉などに取り付けられた電気錠１２と、非接触キーリーダ１１から入力された認証情報に基づいて電気錠１２の施錠・解錠を行う電気錠制御装置１３とを備えている。
【００１６】
非接触キーリーダ１１は、居住者が外出時に所持する非接触キー（図示せず）に格納されたＩＤ情報を非接触で取得し、このＩＤ情報を認証情報として電気錠制御装置１３に出力する。ここで、非接触キーとしては、例えば非接触キーリーダ１１に対応した非接触式ＩＣカードや非接触式ＩＣタグなどが用いられ、認証用のＩＤ情報があらかじめ記憶されている。
【００１７】
電気錠制御装置１３は、インターホン親機３に接続されており、後述する帰宅情報及び外出情報などの情報をインターホン親機３に送信する。また電気錠制御装置１３には、予め非接触キーに格納されたＩＤ情報が登録情報として登録されており、非接触キーリーダ１１が非接触キーから読み取った認証情報が入力されると、この認証情報と登録情報を比較して電気錠１２の解錠・施錠を行う。
【００１８】
具体的には、電気錠制御装置１３は、認証情報と登録情報が一致し、且つ、電気錠１２が解錠状態である場合には、電気錠１２を施錠するとともに、居住者が外出したことを示す外出情報をインターホン親機３に送信する。また、認証情報と登録情報が一致し、且つ、電気錠１２が施錠状態である場合には、電気錠１２を解錠するとともに、居住者が帰宅したことを示す帰宅情報をインターホン親機３に送信する。
【００１９】
防犯センサ２は、窓の開閉を検知する開閉検知センサ、窓ガラスへの衝撃や破壊を検知する衝撃センサ、赤外線や熱を感知して人体の存在を検知する人体検知センサなどであり、その機能に応じて宅内・宅外の適所に設置されている。各防犯センサ２は、異常を検知すると、異常検知情報をインターホン親機３に送信する。
【００２０】
インターホン親機３は、インターホン親機３全体を統括的に制御する制御部３６と、電気錠システム１との間で通信を行い、電気錠システム１から送信される帰宅情報及び外出情報を制御部３６に出力する電気錠通信部３１を備える。またインターホン親機３は、防犯センサ２からの異常検知情報を受信して制御部３６に出力する警報受信部３２と、例えばEEPROM（Electical Erasable Programable ROM）など不揮発性メモリからなる記憶部３３とを備える。
【００２１】
制御部３６は、警報受信部３２が異常検知情報を受信すると、異常検知情報を送信した防犯センサ２の種別や設置位置などを含む情報を検知履歴として記憶部３３に記憶させる。また制御部３６は、電気錠通信部３１を介して入力された帰宅情報及び外出情報に基づいて、居住者が外出中であるか否かを判断し、上述の検知履歴を記憶部３に記憶する・しないといった動作の切り替えを行う。また制御部３６は、電気錠通信部３１から帰宅情報が入力されると、予め設定された検知履歴を所定の送信先に送信する（詳細な動作については後述する）。
【００２２】
またインターホン親機３は、ドアホン子器４との間で音声信号を送受信する子器通話部３５と、マイク３５ａ及びスピーカ３５ｂとを備え、ドアホン子器４との間でインターホン通話を可能にしている。またインターホン親機３は、記憶部３３に記憶された検知履歴に基づいた音声データを作成する音声メッセージ作成部３４を備え、音声メッセージ作成部３４で作成した音声データを子器通話部３５を介してドアホン子器４から出力することができる。
【００２３】
またインターホン親機３は、記憶部３３に記憶された検知履歴から携帯端末５に表示可能な表示用メッセージを作成する表示用メッセージ作成部３７と、携帯端末５に表示用メッセージを送信する携帯通信部３８とを備える。表示用メッセージとしては、例えば電子メールなどが用いられ、本実施の形態では、表示用メッセージ作成部３７が検知履歴に基づいて生成した文字列や画像などを含む電子メールを、携帯通信部３８が移動体通信網のメールサーバ（図示せず）に送信する。
【００２４】
ドアホン子器４は、インターホン親機３との間で音声信号を送受信する通話部４１と、マイク４１ａ及びスピーカ４１ｂとを備え、インターホン親機３との間でインターホン通話を可能にしている。またドアホン子器４は、インターホン親機３の音声メッセージ作成部３４で作成された音声信号に基づいて、スピーカ４１ｂから検知履歴を音声により通知する。なお、インターホン親機３及びドアホン子器４との間で行われるインターホン通話などの諸機能については、既存の技術であるので説明を省略する。
【００２５】
携帯端末５は、例えば携帯電話などであり、無線により移動体通信網を構成する基地局との間で通信を行う通信部５１と、例えば液晶パネルなどの表示部５２とを備える。携帯端末５は、所定の時間間隔で移動体通信網に接続されたメールサーバとの間で通信を行い、携帯端末５宛に送信された電子メールを受信する電子メール機能を備えている。携帯端末５は、携帯通信部３８からの電子メール（表示用メッセージ）がメールサーバに届くと、表示部５２に電子メールが届いた旨の通知を行い、その後、使用者が操作することで電子メールの内容を表示部５２に表示する。
【００２６】
ここで、電気錠システム１の動作について、図２のフロチャートを用いて説明を行う。なお、電子錠システム１の電気錠制御装置１３には、予め居住者が所有する非接触キーのＩＤ情報が登録情報として記録されている。
【００２７】
電気錠制御装置１３は、定期的に非接触キーリーダ１１によって非接触キーのＩＤ情報が取得されたかどうかを判断する（ステップＳ１１）。
【００２８】
ここで、非接触キーが非接触キーリーダ１１の近傍にかざされ、非接触キーリーダ１１がＩＤ情報を読み取ると（ステップＳ１１のYES）、電気錠制御装置１３は、認証情報が事前に登録された登録情報と一致するか否かを判断して認証を行う（ステップＳ１２）。認証情報と登録情報が一致しない場合には（ステップＳ１２のNO）、再度認証情報の入力待ち状態となる（ステップＳ１１）。
【００２９】
認証情報と登録情報が一致すると（ステップＳ１２のYES）、電気錠制御装置１３は、電気錠１２の解錠状態を取得する（ステップＳ１３）。電気錠制御装置１３は、電気錠１２が解錠状態であれば（ステップＳ１３のYES）、電気錠１２を施錠して（ステップＳ１４）、インターホン親機３に外出情報を送信する（ステップＳ１５）。また電気錠１２が施錠状態であれば（ステップＳ１３のNO）、電気錠１２を解錠して（ステップＳ１６）、インターホン親機３に帰宅情報を送信する（ステップＳ１７）。
【００３０】
次に、インターホン親機３の動作について、図３のフロチャートを用いて説明する。なお、インターホン親機３には、検知履歴の送信先として、予め携帯端末５の電子メールアドレスが記憶部３３に記憶されている。また初期状態として、電気錠システム１の電気錠１２は解錠状態であり、記憶部３３には検知履歴が記憶されていないものとする。
【００３１】
まず、インターホン親機３は、電気錠システム１の電気錠制御装置１３から外出情報が入力されるまで、電気錠制御装置１３からの入力を待機している（ステップＳ２１）。上述のように、外出時に居住者が非接触キーを非接触キーリーダ１１に近づけ、インターホン親機３に外出情報が入力されると（ステップＳ２１のYES）、インターホン親機３は、防犯センサ２から異常検知情報が入力されたか否か判断する（ステップＳ２２）。
【００３２】
ここで防犯センサ２が異常を検知して異常検知情報をインターホン親機３に出力すると（ステップＳ２２のYES）、インターホン親機３の制御部３６は、異常検知情報を検知履歴として記憶部３３に記憶させる（ステップＳ２３）。ここで、検知履歴には、異常を検知した防犯センサ２を識別するための文字列や種別などが含まれる。
【００３３】
次にインターホン親機３は、電気錠システム１の電気錠制御装置１３から帰宅情報が入力されたかを判断し（ステップＳ２３）、帰宅情報が入力されるまでステップＳ２２、Ｓ２３を繰り返し行う（ステップＳ２３のNO）。これにより、居住者が外出中している間に防犯センサ２が検知した異常は、時系列で記憶部３３に検知履歴として保持される。なお、検知履歴が増えることで記憶部３３の容量に収まらない場合には、検知された時刻が古い検知履歴を上書きするようにして、新たな検知履歴を記憶部３３に記憶させるようにしても良い。
【００３４】
ここで、居住者が帰宅し、居住者が非接触キーを非接触キーリーダ１１に近づけることで、インターホン親機３に帰宅情報が入力されると（ステップＳ２４のYES）、インターホン親機３は、記憶部３３から検知履歴を読み出す（ステップＳ２５）。次に表示用メッセージ作成部３７が検知履歴に基づいて表示用メッセージを作成する（ステップＳ２６）。具体的には、異常を検知した防犯センサ２を識別する文字列、及び、検知した異常の詳細を示す文字列を検知履歴ごとに列挙し、宛先を携帯端末５のメールアドレスとした電子メールを作成する。なお、居住者が外出中に防犯センサ２により異常の検知が行われなかった場合には、検知履歴が存在しない旨の表示用メッセージを表示用メッセージ作成部３７が作成する。
【００３５】
その後、インターホン親機３は、表示用メッセージ作成部３７により作成された表示用メッセージ（電子メール）を、携帯通信部３８を介して移動体通信網のメールサーバに送信する（ステップＳ２７）。
【００３６】
このようにして、本実施の形態にかかるインターホンシステムは、居住者の外出中に防犯センサ２が検知した異常を示す検知履歴が、居住者の帰宅時に居住者が持参する携帯端末５に送信される。これにより居住者は、留守中の検知履歴を住宅内に入る前に確認することができるので、住宅内に居る不審者と遭遇することを回避することができる。
【００３７】
なお、本実施の形態においては、非接触キーのＩＤ情報に基づいて施錠・解錠を行う電子錠システム１を例に説明したが、例えば、指の静脈などの生体情報に基づいて認証を行い、施錠・解錠を行う生体認証方式の電子錠システムを用いても良い。
【００３８】
また、本実施の形態においては、携帯端末５は移動体通信網に接続され、電子メールを用いて検知履歴を送信しているが、インターホン親機３との間で無線通信を行う携帯端末を用いて、専用のソフトウェアを用いて携帯端末５へ送信することも可能である。
【００３９】
また、インターホン親機３は、防犯センサ２からの異常検知情報を受信した際の検知時刻を記憶部３３に記憶させ、表示用メッセージに検知時刻を示す文字列を含めるようにしても良い。このようにすることで、防犯センサ２が異常を検知した検知時刻から帰宅時までの経過時間に基づいて、居住者は不審者が住宅内に残っているか否かを推定することができ、不審者への対応が取りやすくなる。
【００４０】
（実施の形態２）
本実施の形態にかかるインターホンシステムを図４及び図５を用いて説明する。本実施の形態にかかるインターホンシステムの電気錠システム１は、非接触キーリーダを備えておらず、電気錠制御装置１３は、電気錠１２が施錠状態から解錠状態に切替ったときにインターホン親機３に帰宅情報を送信する。また、インターホン親機３は、居住者が外出中であることを示す留守設定を有し、留守設定を行うための押釦である留守設定釦３９がインターホン親機３の表面に設けられている。インターホン親機３は、留守設定釦３９が押されると留守設定に移行し、それ以降に防犯センサ２から入力される異常検知情報を検知履歴として記憶部３３に記憶するとともに、電気錠システム１から帰宅情報が入力に応じて検知履歴を携帯端末５に送信する。この点を除いては、実施の形態１と同様の構成であるので共通する構成要素には同一の符号を付してその説明は省略する。
【００４１】
ここで、インターホン親機３の動作について、図５のフロチャートに基づいて説明を行う。なお、インターホン親機３には、検知履歴の送信先として、予め携帯端末５の電子メールアドレスが記憶部３３に記憶されている。また初期状態として、電気錠システム１の電気錠１２は解錠状態であり、インターホン親機３は留守設定が行われていない状態である。
【００４２】
まずインターホン親機３は、留守設定釦３９が押され留守設定が行われたかどうかを判定し（ステップＳ３１）、留守設定釦３９が押されるまで待機する。ここで、居住者が留守設定釦を押下すると、インターホン親機３は、防犯センサ２から異常検知情報が入力されたか否か判断する（ステップＳ３２）。
【００４３】
その後、実施の形態１にかかるインターホン親機３と同様に、防犯センサ２からの異常検知情報を検知履歴として記憶部３３に記憶させ（ステップＳ３３）、電気錠システムから帰宅情報が入力されるのを待機する（ステップＳ３４）。帰宅情報を受信するとインターホン親機３は、検知履歴を記憶部３３から読み出し（ステップＳ３５）、検知履歴に基づいて表示用メッセージを作成して（ステップＳ３６）、居住者の所持する携帯端末５に表示用メッセージを送信する（ステップＳ３７）。
【００４４】
これにより居住者は、帰宅時に検知履歴を確認することができるので、住宅内に居る不審者と遭遇することを回避することができる。
【符号の説明】
【００４５】
１          電気錠システム
１１        非接触キーリーダ
２          防犯センサ
３          インターホン親機
３１        電気錠通信部
３２        警報受信部
３３        記憶部（検知履歴記憶手段）
３６        制御部
３７        表示用メッセージ作成部
３８        携帯通信部（検知履歴送信部）
４          ドアホン子器
５          携帯端末
【図１】
2011193377.tif 000003
【図２】
2011193377.tif 000004
【図３】
2011193377.tif 000005
【図４】
2011193377.tif 000006
【図５】
2011193377.tif 000007